【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
車両進行用の走行用交流発電機及び補助交流発電機に結合するエンジンを運転する方法であって、
オフハイウェイ車運転走行モードにおいて、前記車両を前進させるために前記走行用交流発電機からの電流を走行用モータに供給しながら、前記補助交流発電機から第１の電圧で電池を充電するステップと、
運転始動モードにおいて、少なくとも前記エンジンの始動を助けるために前記走行用交流発電機を駆動させるのに貯蔵されたエネルギーから第２のより高い電圧を発生させるステップと、
を含む、方法。
【請求項２】
前記貯蔵されたエネルギーは、前記第１の電圧で前記電池に貯蔵された貯蔵電気エネルギーであり、前記第２のより高い電圧は、ＤＣ−ＤＣ変換器を通して発生する、請求項１に記載の方法。
【請求項３】
前記貯蔵されたエネルギーは、前記第２の電圧で第２の電気エネルギー貯蔵装置に貯蔵された貯蔵電気エネルギーである、請求項１に記載の方法。
【請求項４】
前記運転走行モードにおいて、前記車両を前進させるために走行用インバータにより前記走行用モータに電流が供給され、前記運転始動モード中に、前記走行用交流発電機を駆動させるために、前記走行用インバータに前記第２の電圧で電流が供給される、請求項１に記載の方法。
【請求項５】
車両進行用の走行用交流発電機に結合するエンジンを運転する方法であって、
オフハイウェイ車運転走行モードにおいて、前記車両を前進させるために前記走行用交流発電機からの電流を走行用モータに供給するステップと、
運転始動モードにおいて、前記エンジンを始動させるために、貯蔵されたエネルギーを第１のエネルギー源及び第２のエネルギー源から前記走行用交流発電機に供給するステップと、
を含み、
前記第１のエネルギー源は、前記第２のエネルギー源よりも低い電圧を出力する電池であり、前記運転走行モード中に、前記エンジンに機械的に結合する補助交流発電機を介して前記電池を充電するステップをさらに含む、
方法。
【請求項６】
前記走行用交流発電機は、３相交流発電機である、請求項５に記載の方法。
【請求項７】
前記運転始動モード中に、前記走行用交流発電機の界磁弱めの連続的な調整により前記エンジンに供給されるトルクを調整するステップをさらに含む、請求項６に記載の方法。
【請求項８】
前記運転始動モード中に、前記走行用交流発電機に結合するインバータに供給されるＤＣ電圧を調整することにより、前記エンジンに供給されるトルクを調整するステップをさらに含む、請求項６に記載の方法。
【請求項９】
前記第１のエネルギー源により供給される出力は、ＤＣ−ＤＣ変換器を介して上昇する、請求項５に記載の方法。
【請求項１０】
走行用インバータを介して前記第２のエネルギー源から前記走行用交流発電機に電流が供給され、前記走行用交流発電機から前記走行用モータに供給される電流は、前記走行用インバータを介して供給される、請求項５に記載の方法。
【請求項１１】
能動型整流器を介して前記第２のエネルギー源から前記走行用交流発電機に電流が供給される、請求項５に記載の方法。
【請求項１２】
前記走行用交流発電機から前記走行用モータに電流を供給する走行用インバータとは別個のインバータを介して、前記第２のエネルギー源から前記走行用交流発電機に電流が供給される、請求項５に記載の方法。
【請求項１３】
前記エンジンは、油圧ポンプ、蓄圧器、及び油圧アクチュエータを含む油圧システムにさらに結合する、請求項５に記載の方法。
【請求項１４】
運転作業モードにおいて、前記車両に機械的に結合する作業アームを持ち上げるために前記エンジンから前記油圧システムに動力を供給するステップをさらに含む、請求項１３に記載の方法。
【請求項１５】
前記運転始動モードにおいて、クラッチを介して前記油圧システムを前記エンジンから遮断するステップと、補助交流発電機を介して前記油圧システムを前記第１のエネルギー源に電気的に結合することにより、前記第１のエネルギー源を充電するステップとをさらに含む、請求項１３に記載の方法。
【請求項１６】
走行用交流発電機及び補助交流発電機に結合する、オフハイウェイ車のエンジンを運転する方法であって、
運転走行モードにおいて、走行用インバータを介して前記走行用交流発電機からの電流を走行用モータに供給するステップと、前記補助交流発電機を介して第１のエネルギー源を充電するステップと、前記走行用交流発電機を介して第２のエネルギー源を充電するステップと、
運転始動モードにおいて、前記エンジンのクランク始動を助けるために、前記第２のエネルギー源の出力を前記走行用交流発電機に導く前に、ＤＣ−ＤＣ変換器を通して前記第１のエネルギー源からの出力を前記第２のエネルギー源に導くステップであって、前記第２のエネルギー源は、前記第１のエネルギー源よりも高い電圧を出力する、ステップと、
を含む、方法。
【請求項１７】
前記第１のエネルギー源は、電池であり、前記電池は、スイッチング回路を介して前記第２のエネルギー源に結合する、請求項１６に記載の方法。
【請求項１８】
前記運転始動モード中に、前記第２のエネルギー源の充電レベルが閾値レベルよりも大きいとき、前記電池を前記第２のエネルギー源から遮断するために前記スイッチング回路を調整するステップをさらに含む、請求項１７に記載の方法。
【請求項１９】
前記走行用交流発電機は、能動型整流器を介して前記走行用インバータに電気的に結合する、請求項１６に記載の方法。
【請求項２０】
前記運転始動モード中に、前記補助交流発電機に電気的に結合する油圧システムを介して前記第１のエネルギー源に電流を供給するステップであって、前記油圧システムは、油圧ポンプ、蓄圧器、及び油圧アクチュエータを含む、ステップをさらに含む、請求項１６に記載の方法。
【請求項２１】
エンジン停止中に、エンジン停止の推定時間が閾値よりも長い場合、前記第２のエネルギー源を放電させるステップと、エンジン停止の前記推定時間が前記閾値よりも短い場合、前記第２のエネルギー源を放電させないステップとをさらに含む、請求項１６に記載の方法。
【請求項２２】
エンジンと、
前記エンジンに機械的に結合する補助交流発電機と、
前記エンジンに機械的に結合する走行用交流発電機と、
前記エンジンに電気的に結合する電池と、
前記エンジンに電気的に結合し、前記電池より高い電圧を出力する、第２のエネルギー貯蔵システムと、
蓄圧器を含む油圧システムと、
運転走行モード中に前記電池を充電するために前記補助交流発電機を運転し、前記運転走行モード中に前記第２のエネルギー貯蔵システムを充電するために前記走行用交流発電機を運転し、運転作業モード中に前記電池を充電するために前記蓄圧器を運転し、運転始動モード中に前記エンジンを始動させるために前記走行用交流発電機に電流を供給するのに、前記電池及び前記第２のエネルギー貯蔵システムを運転するためのコントローラと、
を含む、オフハイウェイ車用のシステム。
【請求項２３】
前記走行用交流発電機は、３相交流発電機であり、前記コントローラは、前記運転始動モード中に前記走行用交流発電機の界磁弱めの連続的な調整により前記エンジンに供給されるトルクを調整する、請求項２２に記載のシステム。
【請求項２４】
前記電池の出力は、ＤＣ−ＤＣ変換器により上昇し、前記コントローラは、前記電池の健全性状態を評価する、請求項２２に記載のシステム。